(57)【要約】【課題】  屋外でも屋内でも容易かつ安全に遊ぶことができ、且つ、収納時等には小さく折り畳むことができると共に、遊ぶ準備に手数を要することの無い飛行玩具を提供する。【解決手段】  ロケット形状を模したビニール製の中空の飛行玩具１０であって、本体部１１は先端側の先胴部２１を細くし、中間の中胴部２３を最大径として後方の後胴部２５に複数枚の尾翼３１を備え、前記尾翼３１も前記本体部１１と同様に空気によって膨らませることにより、尾翼３１を備えたロケット型飛行体の形状を維持させるものとし、複数枚の前記尾翼３１とされる各翼体は、当該飛行玩具１０の本体部１１中心軸線に対して一方向に捻じれた状態で取り付けるように形成され、前記本体部１１に空気注入ノズルを有した飛行玩具１０とする。【選択図】    図１
2020081310.tif 000002
【特許請求の範囲】
【請求項１】
ロケット形状を模したビニール製の中空の飛行玩具であって、本体部は先端側の先胴部を細くし、中間の中胴部を最大径として後方の後胴部に複数枚の尾翼を備え、前記尾翼も前記本体部と同様に空気によって膨らませることにより、尾翼を備えたロケット型飛行体の形状を維持させるものとし、複数枚の前記尾翼とされる各翼体は、当該飛行玩具の本体部中心軸線に対して一方向に捻じれた状態で取り付けるように形成され、前記本体部に空気注入ノズルを有していることを特徴とする飛行玩具。
【請求項２】
前記飛行玩具は、全長を１０数ｃｍ乃至数１０ｃｍとされることを特徴とする請求項１に記載した飛行玩具。
【請求項３】
前記尾翼の各翼体は、前縁部、外縁部、後縁部で表裏２枚のシートが接続された袋状とされ、前記前縁部と前記後縁部とを結ぶ接続部で前記本体部に接続固定されると共に、当該接続部の位置で前記翼体の内部と前記本体部の内部とが連通され、前記本体部内部の空気が前記翼体内部に注入され、また、前記翼体内の空気が前記本体部内部に排出されるものとし、前記各翼体は前記後縁部から前方に前記表裏２枚のシートを相互に圧着させた線状の接着部を有することを特徴とする請求項１又は請求項２に記載した飛行玩具。
【請求項４】
前記本体部は、前記先胴部を前記中胴部よりも細くし、前記中胴部は前記先胴部から順次直径を大きくして曲線的に径を太くし、前記中胴部の後端近傍は僅かに径を細くして前記後胴部に連続し、前記後胴部は直線的に順次径を細くして後端部に至り、前記尾翼を当該後胴部に備えることを特徴とする請求項１乃至請求項３の何れかに記載した飛行玩具。
【請求項５】
ロケット型飛行体の形状とした前記飛行玩具は、飛行玩具全体の重心位置を前記本体部の前後方向中心位置近傍、又は、中心位置よりも前方に位置させていることを特徴とする請求項１乃至請求項４の何れかに記載した飛行玩具。
【発明の詳細な説明】
【技術分野】
【０００１】
本発明は、空気を入れて膨らませることによりロケット型とし、投げて遊ぶビニール製の玩具に関するものである。
【背景技術】
【０００２】
従来、投げて遊ぶ玩具には種々の形状のものがあり、飛行機の形状を模したものやロケットの形状を模したものなど、種々の形状の多数の玩具が提供されていた。
【０００３】
この様に投げ飛ばして子供が遊ぶ玩具において、投げた先で飛行体が人に当たっても安全なようにプラスチックフィルム製の風船玩具とし、円筒状の本体部に複数枚の尾翼を設けたものもあった（例えば特許文献１）。
【０００４】
この飛行体は、直径が１０ｃｍ程度にして、長さが１ｍ乃至２ｍの円柱棒状の風船を飛行体本体とするものであって、収納するときは空気を抜いて折り畳み可能としており、尾翼はプラスチックフィルムを２枚重ねた板状の翼体とし、４枚の翼体の基部を環状の翼体基部により相互に接続するものとし、この環状の翼体基部と４枚の板状の翼体とを一体にプラスチックフィルムで形成し、本体部に空気を注入して本体部を円柱状としたときに環状の翼体基部により尾翼を飛行体本体に固定するものである。
【先行技術文献】
【特許文献】
【０００５】
【特許文献１】特開平９−５６９３４号公報
【発明の概要】
【発明が解決しようとする課題】
【０００６】
長さが１ｍ以上の風船型飛行体は、屋外で遊ぶには適しているも、屋内で遊ぶには玩具が大きすぎる欠点があった。
【０００７】
また、不使用時の折り畳んだ状態から遊ぶために本体を膨らませるのに手間がかかり、更に、尾翼を所定位置に取り付ける手間も要するため、遊ぶ準備に手数を要する欠点もあった。
【０００８】
本発明は、この様な欠点を排除し、屋外でも屋内でも容易かつ安全に遊ぶことができ、収納時等の不使用時には小さく折り畳むことができる飛行玩具を提供するものである。
【課題を解決するための手段】
【０００９】
本発明は、ロケット形状を模したビニール製の中空の飛行玩具であって、本体部は先端側の先胴部を細くし、中間の中胴部を最大径として後方の後胴部に複数枚の尾翼を備え、前記尾翼も前記本体部と同様に空気によって膨らませることにより、尾翼を備えたロケット型飛行体の形状を維持させるものとし、複数枚の前記尾翼とされる各翼体は、当該飛行玩具の本体部中心軸線に対して一方向に捻じれた状態で取り付けるように形成され、前記本体部に空気注入ノズルを有している飛行玩具とするものである。
【００１０】
前記飛行玩具は、全長を１０数ｃｍ乃至数１０ｃｍとされるものである。
【００１１】
前記尾翼の各翼体は、前縁部、外縁部、後縁部で表裏２枚のシートが接続された袋状とされ、前記前縁部と前記後縁部とを結ぶ接続部で前記本体部に接続固定されると共に、当該接続部の位置で前記翼体の内部と前記本体部の内部とが連通され、前記本体部内部の空気が前記翼体内部に注入され、また、前記翼体内の空気が前記本体部内部に排出されるものとし、前記各翼体は前記後縁部から前方に前記表裏２枚のシートを相互に圧着させた線状の接着部を有することがある。
【００１２】
前記本体部は、前記先胴部を前記中胴部よりも細くし、前記中胴部は前記先胴部から順次直径を大きくして曲線的に径を太くし、前記中胴部の後端近傍は僅かに径を細くして前記後胴部に連続し、前記後胴部は直線的に順次径を細くして後端部に至り、前記尾翼を当該後胴部に備えることがある。
【００１３】
ロケット型飛行体の形状とした前記飛行玩具は、飛行玩具全体の重心位置を前記本体部の前後方向中心位置近傍、又は、中心位置よりも前方に位置させることがある。
【発明の効果】
【００１４】
本発明に係る飛行玩具は、先端側を細くし、後胴部に尾翼を備えたロケット型とされ、且つ、尾翼を捻じった状態で本体部に取り付けているため、尾翼を後方として飛行するとき、本体部の前後方向中心軸を中心に本体部を回転させ、この本体部の回転と後胴部の尾翼の効果とによって安定した姿勢で遠くまで飛ばせることができる。
【００１５】
また、本体部や尾翼の各翼体をビニール製の袋状として空気により膨らませることのできる飛行玩具であるため、空気注入ノズルから空気を入れるのみで使用可能とし、空気を抜いて小さく折り畳むことができ、使用に際しては、飛行中に物や人に当たっても壊れ難く、且つ、当たった物や人に損傷を与える可能性が極めて低く、安全かつ容易に長距離飛行をさせて楽しく遊ぶことができるものである。
【００１６】
そして、全長を１０数ｃｍ乃至数１０ｃｍ程度とすることにより、屋内や屋外で投げて楽しく遊ぶことができ、当該玩具の不使用時は空気を抜くことにより、小さく折り畳んで収納や移送、携帯及び保管を容易とすることができるものである。
【００１７】
また、尾翼の各翼体を表裏２枚のシートの周縁を接続した袋状として各翼体の内部を玩具本体部の内部と連通させることにより、本体部に空気を注入して本体部を膨らませると尾翼も膨らんで飛行玩具所定の形状とすることができる。そして、各翼体の後縁部から前方に線状の接着部を設けているため、尾翼とする各翼体が厚く膨らんで飛行時の空気抵抗が大きくなりすぎることを防止できる。
【００１８】
更に、先胴部を細く、中胴部を最も太く、後胴部を順次後方を細くした本体部の形状は、飛行時の空気抵抗を小さくし、飛行距離を大きくして飛行玩具を容易に遠くまで飛ばして楽しく遊ぶことができる。
【００１９】
そして、後方に複数枚の尾翼を備えるロケット型ビニール製玩具の重心位置を本体部の前後方向中心付近又は中心よりも前方とすることにより、ビニールシートで作成した軽量の飛行玩具を安定した姿勢で飛行させることができる。
【図面の簡単な説明】
【００２０】
【図１】本発明に係る飛行玩具の一形態を示す側面図。
【図２】本発明に係る飛行玩具の一形態を示す後面図。
【発明を実施するための形態】
【００２１】
本発明に係る飛行玩具は、図１に示す様に、先端部１３近辺の先胴部２１を本体部１１中間の中胴部２３や後方の後胴部２５よりも細い円筒状とし、後胴部２５に尾翼３１を備えたロケット形状としたビニール製の飛行玩具１０である。
【００２２】
この本体部１１及び尾翼３１は空気を入れて膨らませるものであり、厚さ０．２ｍｍ程度のビニールシートを用い、全長は１０数ｃｍ乃至７０ｃｍ程度とし、中胴部２３の最大直径部分は２〜３ｃｍ乃至７〜１０ｃｍ程度とするものである。また、尾翼３１は本体部１１の全長の４分の１乃至５分の１程度の長さにして、厚みを５ｍｍ乃至１５ｍｍ程度とするものである。
【００２３】
そして、本体部１１における先端部１３側の４分の１程度を先胴部２１とし、この先胴部２１を本体部１１の最大直径の２分の１程度の細い円柱形状として先端部１３を略球形状とする。また、先胴部２１に続く中胴部２３は本体部１１の略中央までとし、先胴部２１から順次直径を大きくして中胴部２３の形状を湾曲変化させるように直径を変化させ、且つ、中胴部２３の後端付近では僅かに直径を縮小させる。更に、この中胴部２３に連続する後胴部２５は本体部１１の後端まで順次直線的に直径を縮小させ、後端部１５の直径を先端部１３の直径とほぼ同じか又は僅かに大きくしているものである。
【００２４】
尚、図２に示す様に、この後端部１５には本体部１１及び尾翼３１の内部に空気を注入する空気注入ノズル５１を設けているものである。
【００２５】
そして、後胴部２５の後端近傍に形成する尾翼３１は、同一形状の翼体を後胴部２５の周囲に等間隔に４枚形成するものである。この尾翼３１とする翼体は、２枚のビニールシートを袋状とし、本体部１１を介して本体部１１と同様に空気を注入可能としているものである。
【００２６】
この尾翼３１は、本体部１１との接続部４１の前端から斜め後方にして外方に延びる前縁部３３と、前縁部３３の外方端から後方に延びる外縁部３５と、外縁部３５の後端と接続部４１の後端とを結ぶ後縁部３７を有し、２枚のシートが前縁部３３、外縁部３５、後縁部３７で接続される。更に、接続部４１で２枚のシートが本体部１１に接続されて２枚のシートの各接続部４１の間で本体部１１の内部と尾翼３１の翼体内部とが連通され、本体部１１内部の空気が翼体の内部に、又、翼体内部の空気が本体部１１の内部に送り込まれるものである。
【００２７】
そして、各翼体には後縁部３７の中間位置から前縁部３３の近傍まで外縁部３５や接続部４１と略平行に翼体の表裏２枚のシートを相互にヒートシールにより圧着させた線状の接着部４５を有する。従って、翼体に本体部１１から空気が送り込まれて翼体が膨らんだとき、翼体の厚みとして中間部分が厚くなることが防止され、尾翼３１とする翼体の形状を全体として板状に維持させることができる。
【００２８】
また、この尾翼３１は、各翼体を後胴部２５の前後方向軸に対して１５度乃至２０度程度の捻じれを有するように、本体部１１の前後方向中心軸の方向に対して一定の方向に前縁部３３と後縁部３７とをずらせるように各翼体を傾斜させて本体部１１へ一体的に取り付けるように形成しているものである。
【００２９】
従って、この飛行玩具１０を投げたとき、尾翼３１の一方向への捻じれにより、飛行玩具１０は本体部１１の前後方向中心軸を中心に本体部１１を回転させるようにして飛行するものである。
【００３０】
尚、後端部１５に設けた空気注入ノズル５１は、逆止弁を備え、通常は後端部１５において本体部１１の内部に押し込まれており、キャップを有し、ノズルを後端部１５から引き出してキャップを外して当該空気注入ノズル５１により本体部１１や尾翼３１の内部に空気を注入して飛行玩具１０を使用可能とするものである。また、キャップを外してノズルを左右から押しつぶすようにして逆止弁を開き、本体部１１等の内部空気を排出可能としているものである。
【００３１】
この様に、この飛行玩具１０は、本体部１１及び尾翼３１を中空としてビニールシートにより形成している。このため、内部の空気を排出すれば小さく折り畳んで収納保管、及び移送携帯を容易とし、内部に空気を注入することによって所要厚さとされた翼体の複数枚による尾翼３１及びこの尾翼３１を備えた所定の形状及び大きさとするロケット形状の本体部１１を容易に形成させることができるものである。
【００３２】
従って、本体部１１の最大直径が数ｃｍ程度にして全長が１０数ｃｍ程度、又は、最大直径が１０ｃｍ以下で全長が数１０ｃｍ程度とされる当該飛行玩具１０の空気注入ノズル５１から空気を入れるのみで、投げて遊ぶことのできる飛行玩具１０とすることが容易かつ迅速にできるものである。
【００３３】
そして、この飛行玩具１０を用いて遊ぶとき、飛行玩具１０を投げると本体部１１の中心線に対して捻じるように設けた尾翼３１により飛行玩具１０は本体部１１を回転させて飛行し、先胴部２１を中胴部２３及び後胴部２５よりも細くした本体部１１の形状、及び、尾翼３１の作用、更に、玩具の回転による中心軸の安定、などにより飛行姿勢を安定的に保ち、容易に遠くまで飛ばして遊ぶことができるものである。
【００３４】
また、長さを１０数ｃｍ乃至数十ｃｍ程度の大きさとしているものであるから、屋内や屋外で投げ飛ばして遊ぶことが可能であり、どこででも空気を注入することによって簡単にロケット型玩具としての所定の形状とすることができ、楽しく遊ぶことができるものである。
【００３５】
更に、この飛行玩具１０は、本体部１１や尾翼３１を薄いビニール製として空気により膨らませて形状を維持させているものであるから、人や物にあった場合でも、飛行玩具１０が壊れることがなく、また、当たった人や物に対しても損傷を与える可能性が極めて低いものである。
【００３６】
即ち、本体部１１の長さを１２〜１３ｃｍ乃至２０ｃｍ程度の１０数ｃｍとし、中胴部２３の最大直径を２〜３ｃｍ程度とすれば、指で摘んで投げることができ、一般家庭の室内等、屋内で投げて遊ぶことができ、的に当てるように投げて楽しく遊ぶことなどができるものである。また、本体部１１の長さを５０〜７０ｃｍ程度の数１０ｃｍ、中胴部２３の最大直径を７〜１０ｃｍ程度とすれば、手で握って投げることができ、広い部屋等の屋内又は屋外で投げて飛ばすことができ、１人が投げ、他の１人が両手で掴むなど、２人でキャッチボールをして遊ぶなどにより、楽しむことができるものである。
【００３７】
また、全長を１２〜１３ｃｍ乃至２０ｃｍ等の１０数ｃｍ程度とすれば、使用しないときは空気を抜いて小さく折り畳み、ポケットに入れるなどして携帯、移送所持を極めて容易とし、５０〜７０ｃｍ等の数１０ｃｍ程度の大きさであっても、ポケット又は袋に入れるなどして携帯、移送所持を容易に行うことができるものである。
【００３８】
尚、飛行玩具１０は、主に屋内で遊ぶ全長を１２〜１３ｃｍ乃至２０ｃｍとする小型の飛行体、又は屋外を中心に遊ぶことが多い全長を５０〜７０ｃｍとする中型の飛行体とする場合のみでなく、１０数ｃｍ程度から５０〜７０ｃｍなどの数１０ｃｍ程度までの適宜の大きさとするものである。
【００３９】
そして、上記実施の形態では、空気注入ノズル５１を飛行玩具１０の後端部１５に設けているも、後端部１５に限ることなく、先端部１３等の本体部１１の適宜箇所に空気注入ノズル５１を設けることもある。
【００４０】
また、尾翼３１の枚数は、４枚に限るものでなく、２枚以上の適宜の枚数として後端部１５の周縁に等間隔で配置すれば足り、飛行玩具１０の後方を安定させて姿勢を保ち且つ飛行玩具１０を回転させることができるようにするものである。
【００４１】
また、各翼体に設ける線状の接着部４５も１本に限るものでなく、外縁部３５と平行に複数本設けることもあり、平行に複数本の接着部４５を形成することにより、翼体の面積が広い場合にも各翼体の厚さを薄く保つことが容易にできる。
【００４２】
そして、この飛行玩具１０は、飛行を安定させるために重心を本体部１１の前後方向略中央に位置させるようにしている。
【００４３】
即ち、本体部１１や尾翼３１を同一厚さのビニールシートで形成した場合、先胴部２１を細くしていることや本体部１１の後方に尾翼３１として複数枚の翼体を設けているため、重心が本体部１１の中央よりも後方となり、この飛行玩具１０を飛ばせるように投げ出したとき、投げ出されたことによる慣性力は飛行玩具１０の後方が大きくなって飛行姿勢を不安定とさせることがある。
【００４４】
この為、飛行玩具１０の重心を本体部１１の前後方向略中央に位置させるようにするものであり、この重心位置の調整は、本体部１１の先胴部２１におけるビニールシートの厚さを厚くするなど、ビニールシートの厚さ配分により調整することができる。
【００４５】
また、ビニールシートの厚さ配分による調整ではなく、先端部１３に小円形のビニールシートを更に張り付けて先端部１３のビニールシートを２重とし、小円形のビニールシートの周辺部分を本体部１１の先端部１３に溶着させて密閉空間を形成しつつ、少量の砂鉄を封入して重心を調整することもある。
【００４６】
また別の重心調整として、本体部１１の内部に、本体部１１を空気で膨らませて円筒形状としたとき、本体部１１の中心を通るナイロン糸などの樹脂製糸を張るように先胴部２１や中胴部２３に組み入れて設け、本体部１１の中心軸線を通るように設ける樹脂製糸に小さな金属製の重りを取り付けて飛行玩具１０全体の重心の位置を調整することもある。
【００４７】
この様に先端部１３に砂鉄等を封入する場合は、重心を前方に移動させることが容易であり、且つ、砂鉄等の紛体を用いれば、飛行玩具１０が物に衝突した場合にも、衝突に際する衝撃を小さくことができる。
【００４８】
また、先胴部２１や中胴部２３の内部に金属製の重りを組み込めば、飛行玩具１０の重心位置の調整を小さな重りによって極めて容易に行うことができ、且つ、金属製の重りを空気で膨張させたビニールシートの内部に収納しているため、飛行玩具１０が物などに衝突してもビニールシートのクッションにより安全に落下させることができる。
【００４９】
そして、重心位置は、本体部１１の前後方向中心軸の軸線上であれば、本体部１１の前後方向中央位置近辺に限るものでなく、前後方向中央位置よりも前方に位置させることもあり、中心付近で中心よりも僅かに後方とすれば先端部１３を僅かに持ち上げた姿勢で飛行させ、中心よりも前方とすれば先端部１３から突き進むような姿勢で飛行させることができる。
【００５０】
また、重心位置の調整を行うことなく、不安定な飛行姿勢による変化のある飛行を行わせて楽しむようにすることもある。
【産業上の利用可能性】
【００５１】
本発明に係る飛行玩具１０は、空気を注入することにより、屋内や屋外で投げて安全に且つ楽しく遊ぶことができる飛行玩具１０である。
【符号の説明】
【００５２】
１０  飛行玩具
１１  本体部                      １３  先端部
１５  後端部                      ２１  先胴部
２３  中胴部                      ２５  後胴部
３１  尾翼
３３  前縁部                      ３５  外縁部
３７  後縁部                      ４１  接続部
４５  接着部
５１  空気注入ノズル
【図１】
2020081310.tif 000003
【図２】
2020081310.tif 000004